【手続補正書】
【提出日】平成19年12月25日(2007.12.25)
【手続補正１】
【補正対象書類名】明細書
【補正対象項目名】特許請求の範囲
【補正方法】変更
【補正の内容】
【特許請求の範囲】
【請求項１】  モジュラーカードエッジ電気コネクタと使用するためのモジュール４０、４０Ａであって、
第１及び第２の離間した通路と、導電性接点部材３４を備えた対向表面を有する平面カード２８、２８Ａの第１及び第２通路５６、５６Ａ、５８、５８Ａ間内に収容するためのカード収容凹部６０とを有する絶縁性ハウジング５４であって、このカード収容凹部６０は端子領域に延びているものと；
第１通路５６、５６Ａに収容され、第１接合接点２２と連結するために位置決めされた第１接点表面６４を有する第１細長接点６２と；
第２通路５８、５８Ａに収容され、第２接合接点２２と連結するために位置決めされた第１接点表面６８を有する第２細長接点６６と；
を有していて、第１細長接点６２は、カード収容凹部６０の中に挿入された平面カード２８、２８Ａの第１導電性接点部材３４と連結するためにカード収容凹部６０の中に突出した第２接点表面７２を有し、かつ第２細長接点６６は、カード収容凹部６０の中に挿入された平面カード２８、２８Ａの第２導電性接点部材３４と連結するために第１細長接点６２の方向にカード収容凹部６０の中に突出した第２接点表面７４を有してなり、その絶縁性ハウジング５４は、外周面８２を有し、かつ外周面８２と直接に連結した状態で絶縁性ハウジング５４に摺動可能に収容される管状接地遮蔽体１２８を備え；
接地遮蔽体は、第１及び第２細長接点６２、６６の第１接点表面６４、６８によって連結された接合接点２２と結合された外部装置２６の接地接点８６との連結のための第１の一体的接地接点１３０と、カード収容凹部６０の中に挿入された平面カード２８、２８Ａの接地接点表面９０との連結のための第２の一体的接地接点１３２とを備えたことを特徴とするモジュール。
【請求項２】  モジュラーカードエッジ電気コネクタと使用するためのモジュール４０、４０Ａであって、管状接地遮蔽体は、第１及び第２接地遮蔽体７８、８０を備え、この各々は、その外周面８２と対向関係にかつ直接に連結した状態で絶縁ハウジング５４に摺動可能に収容されるＣ字形状の断面を有し、第１接地遮蔽体７８はほぼ第１細長通路５６、５６Ａを覆い、第２接地遮蔽体８０はほぼ第２細長通路５８、５８Ａを覆い、第１及び第２接地遮蔽体７８、８０は、いずれも、第１及び第２細長接点６２、６６の第１接点表面６４、６８によって連結された接合接点２２と結合された外部装置２６の接地接点８６と連結するための第１の一体的接地接点８４を有し、第１及び第２接地遮蔽体７８、８０は、カード収容凹部６０の中に挿入された平面カード２８、２８Ａの該当接地接点表面９０との連結のための第２の一体的接地接点８８を有していることを特徴とする請求項１に記載のモジュール。
【請求項３】  モジュラーカードエッジ電気コネクタと使用するためのモジュール４０、４０Ａであって、絶縁ハウジング５４は、第１及び第２の対向する主要側面９４、９６および第１及び第２の主要側面を結合する第１の小さい方の側面９８とを有する外周面８２を備え、第３及び第４の対向する主要側面１００、１０２、および第１及び第２の主要側面９４、９６を結合する第２の小さい方の側面１０４とを有し、第１及び第３の主要側面９４、１００が同一平面上にあり、第２及び第４の主要側面９６、１０２が同一平面上にあり、第１及び第２の小さい方の側面９８、１０４が平行な間隔をおいて離れて配置された平面にあり、絶縁フレームがカード収容凹部６０から間隔をおいて配置されかつ位置合わせされた第１細長スロット１０６を有しかつ第１及び第３の主要側面９４、１００およびその中間に位置決めされたインレットを有し、第１細長スロット１０６が第１及び第２の小さい方の側面９８、１０４にほぼ平行であり、絶縁フレームがカード収容凹部６０から間隔をおいて配置されかつ位置合わせされた第２細長スロット１０７を有しかつ第２及び第４の主要側面９６、１０２の中間に位置決めされたインレットを有し、第２細長スロット１０７が第１及び第２の小さい方の側面９８、１０４にほぼ平行であり；かつ、
第１及び第２接地遮蔽体７８、８０を備え、この各々は、その外周面８２と対向関係にかつ直接に連結した状態で絶縁ハウジング５４に摺動可能に収容されるＣ字形状の断面を有し、第１接地遮蔽体７８は第１細長通路５６、５６Ａをほぼ覆い、第２接地遮蔽体８０は第２細長通路５８、５８Ａをほぼ覆い、第１接地遮蔽体７８は第１及び第２の主要側面９４、９６を近接してそれぞれ覆う第１及び第２対向リム１０８、１１０を有し、第１側面リム１１２は第１の小さい方の側面９８を近接して覆い、第１フランジリム１１４は第１細長スロット１０６に摺動可能に収容された第１対向リムの横方向に延びていて、それによって第１接地遮蔽体７８は、第１の通路５６、５６Ａに収容された第１細長接点６２を完全に覆い、第２接地遮蔽体８０は第３及び第４の主要側面１００、１０２を近接してそれぞれ覆う第３及び第４の対向リム１１６、１１８を有し、第２側面リム１２０は第２の小さい方の側面１０４を近接して覆い、第２フランジリム１２２は第１細長スロット１０７に摺動可能に収容された第３対向リムの横方向に延びていて、それによって第２接地遮蔽体８０は、第２の通路５８、５８Ａに収容された第２細長接点６６を完全に覆い、第１及び第２接地遮蔽体７８，８０の各々は、第１及び第２細長接点６２、６６の第１接点表面６４、６８によって連結された接合接点２２と結合された外部装置２６の接地接点８６との連結のための第１の一体的接地接点８４を有し、第１及び第２接地遮蔽体６２、６６の各々には、カード収容スロット７０の中に挿入された平面カード２８、２８Ａの該当接地接点表面９０との連結のための第２の一体的接地接点８８を有していることを特徴とする請求項１に記載のモジュール。
【請求項４】  モジュラーカードエッジ電気コネクタと使用するためのモジュール４０、４０Ａであって、第１及び第２接地遮蔽体７８、８０の第２の一体的接地接点８８は、いずれもカード収容凹部６０の中に突出していて；かつ、
第１接地遮蔽体７８の第２の一体的接地接点８８は、第２接地遮蔽体８０の第２の一体的接地接点８８にほぼ面することを特徴とする請求項２に記載のモジュール。
【請求項５】  モジュラーカードエッジ電気コネクタと使用するためのモジュール４０、４０Ａであって、第１及び第２接地遮蔽体７８、８０の第２の一体的接地接点は、第１及び第２細長接点６２、６６の第２接点表面６４、６８のいずれかより外側フレー３６ムの頂部壁４６，４６Ａに近い場所のカード収容凹部６０の中に突出していて、早期接合、遅れ遮断の接地動作を設定することを特徴とする請求項２に記載のモジュール。
【請求項６】  モジュラーカードエッジ電気コネクタと使用するためのモジュール４０、４０Ａであって、各モジュール４０、４０Ａは、外側フレーム３６の補足的位置合わせ機構１４４との連結のために形成された位置合わせ機構１４２を有することにより、各モジュール４０、４０Ａが外側フレーム３６に対して確実に位置決めされることを特徴とする請求項１に記載のモジュール。
【請求項７】  隣接するチクレットモジュール４０、４０Ａの接地遮蔽体７８、８０と連結可能なチクレットモジュール４０、４０Ａの１つの接地遮蔽体の少なくとも１つのブリッジ接点１８０を有することを特徴とする請求項２に記載のモジュール。
【請求項８】  隣接するモジュール４０、４０Ａの絶縁ハウジング５４と連結可能な１つのモジュール４０、４０Ａの絶縁ハウジング５４の少なくとも１つのボス部材１７４であって、隣接するモジュール４０、４０Ａの接地遮蔽体７８、８０の相互連結を防止するように寸法が決められるボス部材１７４を有することを特徴とする請求項２に記載のモジュール。
【請求項９】  隣接するモジュール４０、４０Ａの絶縁ハウジングの複数の相互に対向した対のボス部材１７４であって、相互に対向した対のボス部材１７４が隣接するモジュール４０、４０Ａの接地遮蔽体７８、８０の相互連結を防止するように連結されかつ寸法が決められるボス部材１７４を有することを特徴とする請求項２に記載のモジュール。
【請求項１０】  管状接地遮蔽体１２８、またはそれぞれの第１及び第２接地遮蔽体７８、８０は、         第１及び第２接合接点２２とそれぞれ連結する際の第１及び第２細長接点６２、６６の第１接点表面６４、６８と、外部装置２６の接合接地接点と連結する際の第１及び第２接地接点８４の第１接点表面６４、６８との目視検査を可能にする切抜領域９２を有することを特徴とする請求項２に記載のモジュール。
【請求項１１】  絶縁ハウジング５４が、外周面８２と；
外周面８２と直接に連結した状態で絶縁ハウジング５４に摺動可能に収容される管状接地遮蔽体１２８と；
を備え；
接地遮蔽体は、第１及び第２接点６２、６６の第１接点表面６４によって連結された接合接点２２と結合された外部装置２６の接地接点８６との連結のための第１の一体的接地接点８４と、カード収容スロット７０の中に挿入された平面カード２８、２８Ａの接地接点表面８６との連結のための第２の一体的接地接点８８とを備えたことを特徴とする請求項１に記載のモジュール。
【請求項１２】  管状接地遮蔽体１２８は、第１及び第２接合接点とそれぞれ連結する際の第１及び第２接点６２、６６の第１接点表面６４と、外部装置２６の接合接地接点８６と連結する際の第１及び第２接地接点８４、８８の第１接点表面６４との目視検査を可能にする切抜領域９２を有することを特徴とする請求項１１に記載のモジュール。
【請求項１３】  絶縁ハウジング５４は外周面８２を備え；
第１及び第２接地遮蔽体７８、８０を備え、この各々は、その外周面と対向関係にかつ直接に連結した状態で絶縁ハウジング５４に摺動可能に収容されるＣ字形状の断面を有し、第１接地遮蔽体７８はほぼ第１細長通路５６、５６Ａを覆い、第２接地遮蔽体８０はほぼ第２細長通路５８、５８Ａを覆い、第１及び第２接地遮蔽体７８、８０は、いずれも、第１及び第２接点６２，６６の第１接点表面６４によって連結された接合接点２２と結合された外部装置２６の接地接点８６と連結するための第１の一体的接地接点８４を有し、第１及び第２接地遮蔽体７８、８０は、カード収容スロット７０の中に挿入された平面カード２８、２８Ａの該当接地接点表面９０との連結のための第２の一体的接地接点８８を有していることを特徴とする請求項１に記載のモジュール。
【請求項１４】  第１及び第２接地遮蔽体７８、８０各々は、第１及び第２接合接点２２とそれぞれ連結する際の第１及び第２接点６２、６６の第１接点表面６４と、外部装置２６の接合接地接点と連結する際の第１及び第２接地接点８４、８８の第１接点表面との目視検査を可能にする切抜領域９２を有することを特徴とする請求項１３に記載のモジュール。
【請求項１５】  隣接するモジュール４０、４０Ａの絶縁ハウジング５４と連結可能な１つのモジュール４０、４０Ａの絶縁ハウジング５４の少なくとも１つのボス部材１７４であって、隣接するモジュール４０、４０Ａの接地遮蔽体の相互連結を防止するように寸法が決められるボス部材１７４を有することを特徴とする請求項１３に記載のモジュール。
【請求項１６】  絶縁ハウジング５４が外周面８２を有し；
各々がその外周面８２と対向関係にかつ直接に連結した状態で絶縁ハウジング５４にそれぞれ摺動可能に収容されるＣ字形状の断面を有する第１及び第２接地遮蔽体７８、８０を有し、第１接地遮蔽体７８がほぼ第１細長通路５６、５６Ａを覆い、第２接地遮蔽体８０がほぼ第２細長通路５８Ａを覆い、第１及び第２接地遮蔽体７８、８０は、いずれも第１及び第２細長接点５６、５６Ａの第１接点表面６４によって連結された接合接点２２と結合された外部装置２６の接地接点８６と連結するための第１の一体的接地接点８４を有し、第１及び第２接地遮蔽体７８、８０の各々は、カード収容凹部６０の中に挿入された平面カード２８、２８Ａの該当接地接点表面９０との連結のための第２の一体的接地接点８８を有することを特徴とする請求項１に記載のモジュール。
【請求項１７】  絶縁ハウジング５４は、第１及び第２の対向する主要側面９４、９６および第１及び第２主要側面を結合する第１の小さい方の側面９８を有する外周面８２を備え、第３及び第４の対向する主要側面１００、１０２、および第１及び第２の主要側面９４、９６を結合する第２の小さい方の側面１０４を有し、第１及び第３の主要側面１００、１０２が同一平面上にあり、第２及び第４主要側面９４、１００が同一平面上にあり、第１及び第２の小さい方の側面９８、１０４が平行な間隔をおいて離れて配置された平面にあり、絶縁フレームがカード収容凹部６０から間隔をおいて配置されかつ位置合わせされた第１細長スロット１０６を有しかつ第１及び第３の主要側面１００、１０２およびその中間に位置決めされたインレットを有し、第１細長スロット１０６が第１及び第２の小さい方の側面９８、１０４にほぼ平行であり、絶縁フレームがカード収容凹部６０から間隔をおいて配置されかつ位置合わせされた第２細長スロット１０７を有しかつ第２及び第４の主要側面の中間に位置決めされたインレットを有し、第２細長スロットが第１及び第２の小さい方の側面９８、１０４にほぼ平行であり；かつ、
第１及び第２接地遮蔽体７８，８０を備え、この各々は、その外周面８２と対向関係にかつ直接に連結した状態で絶縁ハウジング５４に摺動可能に収容されるＣ字形状の断面を有し、第１接地遮蔽体７８は第１細長通路５６、５６Ａをほぼ覆い、第２接地遮蔽体８０は第２細長通路５８、５８Ａをほぼ覆い、第１接地遮蔽体７８は第１及び第２の主要側面を近接してそれぞれ覆う第１及び第２対向リム１０８、１１０を有し、第１側面リム１１２は第１の小さい方の側面９８を近接して覆い、第１フランジリム１１４は第１細長スロット１０６に摺動可能に収容された第１対向リムの横方向に延びていて、それによって第１接地遮蔽体７８は、第１の通路５６、５６Ａに収容された第１接点６２を完全に覆い、第２接地遮蔽体８０は第３及び第４の主要側面を近接してそれぞれ覆う第３及び第４の対向リム１１６、１１８を有し、第２側面リム１２０は第２の小さい方の側面１０４を近接して覆い、第２フランジリム１２２は第１細長スロット１０６に摺動可能に収容された第３対向リムの横方向に延びていて、それによって第２接地遮蔽体８０は、第１の通路に収容された第２接点６６を完全に覆い、第１及び第２接地遮蔽体７８、８０の各々は、第１及び第２細長接点の第１接点表面によって連結された接合接点と結合された外部装置２６の接地接点８６との連結のための第１の一体的接地接点８８を有し、第１及び第２接地遮蔽体７８、８０の各々には、カード収容スロット７０の中に挿入された平面カード２８、２８Ａの該当接地接点表面９０との連結のための第２の一体的接地接点を有していることを特徴とする請求項１１に記載のモジュール。
【請求項１８】  第１及び第２接地遮蔽体７８、８０の第２の一体的接地接点は、いずれもカード収容凹部６０の中に突出していて；かつ、
第１接地遮蔽体７８の第２の一体的接地接点８８は、第２接地遮蔽体８０の第２の一体的接地接点８８にほぼ面することを特徴とする請求項１６に記載のモジュール。
【請求項１９】  第１及び第２接地遮蔽体７８、８０の第２の一体的接地接点は、第１及び第２接点６２、６６の第２接点表面６８のいずれかより外側フレーム３６の頂部壁４６、４６Ａに近い場所のカード収容スロット７０の中に突出していて、早期接合、遅れ遮断の接地動作を設定することを特徴とする請求項１６に記載のモジュール。